(57)【特許請求の範囲】
【請求項１】
スタンド本体の後部に、支持枠に少なくとも２段階の角度に支持できる支持具を設けてなる支持体を設け、スタンド本体の前部に、ディスプレー機器に固着し回転するための固着具を設けたディスプレー機器用スタンドであって、前記支持具は、一端を連通してなる少なくとも長さの異なる係止溝を形成した係止溝板と、連通した係止溝に係止する左右に移動可能な係止板と、支持枠と連結する保持板とからなり、前記固着具は、下部に方形状に形成したスライド溝を、上部に円形状に形成した回転溝を連通して形成した回転枠を設けた回転支持板と、前記回転枠内で上下スライド及び回転可能な方形状の固着板とからなり、回転溝の外径が固着板の外寸より大きいことを特徴とするディスプレー機器用スタンド。
【発明の詳細な説明】
【技術分野】
【０００１】
本発明は、ディスプレー機器(タブレット等)に後付にて取り付け回転させ、少なくとも２段階に支持できるディスプレー機器用スタンドに関するものである。
【背景技術】
【０００２】
従来の技術としては、互いに上端側部分を回動可能に軸支されて連結され、互いに略々平行となされる状態より、下方側に向けた互いの開き角が鋭角である所定の角度となる状態に亘って、該連結部分において互いに回動可能となされた一対の脚部材と、上記各脚部材のうちの一方の下端側部分において、この脚部材に対して回動可能に取付けられた一方の足部材と、上記各脚部材のうちの他方の下端側部材において、この脚部材に対して回動可能に取付けられ、上記一方の足部材と対をなす他方の足部材とを備え、上記一対の脚部材を互いに略々平行な状態とし、上記各足部材の長手方向が上記各脚部材の長手方向に一致する状態としたときに収納状態となり、上記一対の脚部材を下方側に向けた互いの開き角が上記所定の角度となる状態とし、上記各足部材の長手方向が上記各脚部材の長手方向に対して略々直交する状態としたときに使用状態となり、上記使用状態においては、上記各足部材の上縁部及び上記脚部材の上端側近傍において、携帯通信端末を支持することを特長とする携帯通信端末用スタンドがある。（特許文献１参照）
【０００３】
また、別の従来技術として、２つのスピーカを備えたスピーカ搭載モバイル機において、当該モバイル機のハウジングにそのハウジングを支えて起立姿勢に保つスタンドが設けられ、そのスタンドに２つの上記スピーカが左右に間隔を隔てて取付けられていると共に、そのスタンドに対する２つの上記スピーカの取付け姿勢が、当該スタンドで上記ハウジングを支えて起立姿勢に保っているときに、２つのスピーカのうちの左側のスピーカが上記ハウジングの左端外側前方を指向し、右側のスピーカが上記ハウジングの右端外側前方を指向する姿勢になっていることを特徴とするスタンド搭載モバイル機がある。（特許文献２参照）
【先行技術文献】
【特許文献】
【０００４】
【特許文献１】特開２００５−１４２６７１号公報
【特許文献２】特開２０１２−１９９６６８号公報
【発明の概要】
【発明が解決しようとする課題】
【０００５】
上記、前者においては、別体であり、別に持ち歩いて使用しなければならず紛失することもある。
【０００６】
また、上記後者においては、スピーカ搭載モデル機に専用に一体に取り付けられるもので専用であるため、他のディスプレーに取り付けて使用することはできない。
【０００７】
本発明は、このような従来の構成が有していた問題を解決しようとするものであり、多くのディスプレー機器に一体的に取り付けられると共に、着脱自在に取り付けられ、使用するシーンによって選択できる。
また、支持角度を少なくとも２段階変更できると共に、支持片がカバーにて保護されているため、故障しにくく長期に使用できるディスプレー機器用スタンドを提供することを目的とする。
【課題を解決するための手段】
【０００８】
本発明は上記目的を達成するために、スタンド本体の後部に、支持枠に少なくとも２段階の角度に支持できる支持具を設けてなる支持体を設け、スタンド本体の前部に、ディスプレー機器に固着し回転するための固着具を設けたディスプレー機器用スタンドであって、前記支持具は、一端を連通してなる少なくとも長さの異なる係止溝を形成した係止溝板と、連通した係止溝に係止する左右に移動可能な係止板と、支持枠と連結する保持板とからなり、前記固着具は、下部に方形状に形成したスライド溝を、上部に円形状に形成した回転溝を連通して形成した回転枠を設けた回転支持板と、前記回転枠内で上下スライド及び回転可能な方形状の固着板とからなり、回転溝の外径が固着板の外寸より大きいことを特徴とする。
【発明の効果】
【０００９】
１）、少なくとも２段の角度を指示できる支持具を設け、特に支持片をカバーにて、保護されており、故障しにくく美的である。
２)、ディスプレー機器を持つ手を変えると傾斜が切替るユニークで非常に扱いやすい。
３)、ディスプレー機器と一体化する為、常時スタンドにできる。
４)、スリムでフラットなので持運びしやすくカバン等への収納もしやすい。
５)、 支持体の支持枠内に、支持具を設けることにより、片手を入れて支持できるため、タップ等の操作性がよく、安定している。
６)、 固着板が回転し、かつ保持できることにより、ディスプレー機器を横方向に、また、縦方向に固定して見ることができるものである。
７)、フック孔を利用すればスペースのない所でも吊下げて使用できる。又、充電時や保管時には邪魔にならない。
８)、固定板の連結具に、係止板の係止片を挿入、回転することにより、着脱自在に係止固定することにより、使用するシーンによって使い分けることができる。
【図面の簡単な説明】
【００１０】
【図１】本発明の第１実施例ディスプレー機器用スタンドの支持体の分解構成図。
【図２】本発明の第１実施例ディスプレー機器用スタンドの支持体の斜視図。
【図３】本発明の第１実施例ディスプレー機器用スタンドの分解構成図。
【図４】本発明の第１実施例ディスプレー機器用スタンドの組付斜視図。
【図５】本発明の第１実施例ディスプレー機器用スタンドの貼り付けイメージ図。
【図６】本発明の第１実施例ディスプレー機器用スタンドの立設状態図。
【図７】本発明の第１実施例ディスプレー機器用スタンドの使用手順１図。
【図８】本発明の第１実施例ディスプレー機器用スタンドの使用手順２図。
【図９】本発明の第１実施例ディスプレー機器用スタンドの使用手順３図。
【図１０】本発明の第１実施例ディスプレー機器用スタンドの使用手順４図。
【図１１】本発明の第１実施例ディスプレー機器用スタンドの使用手順５図。
【図１２】本発明の第２実施例ディスプレー機器用スタンドの斜視図。
【図１３】本発明の第２実施例ディスプレー機器用スタンドの固定板の分解構成図。
【図１４】本発明の第２実施例ディスプレー機器用スタンドの固定板の組付斜視図。
【図１５】本発明の第２実施例ディスプレー機器用スタンドの固定板の貼り付けイメージ図。
【図１６】本発明の第２実施例ディスプレー機器用スタンドの貼り付けイメージ図。
【発明を実施するための形態】
【００１１】
第１実施例を示すディスプレー機器用スタンドの説明をする。
１は、ディスプレー機器用スタンドである。
２は、支持体で、両側軸２ａ21にて折曲する２本の脚２ａ２の下端に、可倒自在な補強板２ａ11に略Ｕ字板を固着してなる底板２ａ１(フック孔ＦＡを設けてある)を設けると共に、脚２ａ２間に、上部を脚２ａ２の軸支部２ａ22と軸支する軸支部２ｂ11を設けた支持枠２aに、基板２ｂ１上に、ガイド板２ｂ22間に、移動溝２ｂ21を形設した保持板２ｂ２を設け、移動溝２ｂ21に左右に移動する係止片２ｂ31を突設した係止板２ｂ３を内設し、移動溝２ｂ21の巾寸法Ｈより係止板２ｂ3の巾寸法Ｈ1を短くし、巾寸法Ｈから巾寸法Ｈ1を引いた寸法Ｈ2を有し、一端を連通してなる短い係止溝２ｂ41と長い係止溝２ｂ42を設けた係止溝板２ｂ４が入り込むように重合させ、略コの字形のカバー２ｂ５で保護してなる支持具２bを設けてある。
３は、スタンドで、両側に立片３ａ１を形成し、下端にディスプレー機器受面３ａ２を形成してなるスタンド本体３ａの前部に、下部を方形状(四角形状)に構成したスライド溝３b22を、上部を円形状に形成した回転溝3ｂ21を連通して回転枠３ｂ２を形成した回転支持板３bと回転枠３ｂ２内に上下スライド及び回転可能な方形状(正方形状)に形成し円盤状の固着体３ｃ２を固定した固着板３c１とからなり、固着具３ｃにおいて、例えば、強力両面テープ等のドーナツ状の固着台３ｃ３を設け、固着体３ｃ３の外径より多少大寸の長孔状の移動孔３ｄ１を設けた表板３ｄを設けてなるものである。又、スタンド本体３ａと回転支持板３ｂの下部に支持体２を留める磁石Ｇ用の磁石孔ＧＡを設けている(図１〜図４)
【００１２】
つぎに、支持体２とスタンド３の組付は、上方の脚２a２の裏側とスタンド３(スタンド本体３a)の裏面をフック孔ＦＡを基準にして合わせてビスで固定する(図５) 
【００１３】
ディスプレー機器用スタンド１の使用例について説明する。
まず、予め固着体３c２の固着台３ｃ３をディスプレー機器Ｄの裏面に押圧して貼り付ける。この時、ディスプレー機器Ｄの下端を当接してある。スタンド３(スタンド本体３a)に支持枠２を密着した状態で、右側ＭＧを下側にした時、係止板２ｂ３の係止片２ｂ31は長い係止溝２ｂ42に入り込み、左側HGを下側にした時、係止片２ｂ31は短い係止溝２ｂ41に入り、係止固定される。(図6)
スタンド３のスタンド本体3ａより支持枠2の底板２a１を摘んで引っ張ることにより、磁石Ｇを外し、開口する。(図７)
次に、一方の手Ｔでディスプレー機器Ｄを持って、他方の手Ｔ１をスタンド３(スタンド本体３ａ)と支持体２の支持具２ｂの間に挿入し、外側を握る。(図８)
この時、固着板３ｃ１はスライド溝３ｂ22にて保持させている。
つづいて、一方の手Ｔで、ディスプレー機器Ｄを握り、上方へ移動させる。
この時、固着板３ｃ1は、スライド溝３ｂ22に沿って上方しており、固着板３ｃ１は回転溝３b21内に位置している。(図9)
この状態で、一方の手Tにてディスプレー機器Ｄを回転させることにより、固着板３ｃ１は回転溝３ｂ21内で回転している。(図10)
ディスプレー機器Ｄ横向きになった時、一方の手Tでディスプレー機器Ｄを下方に移動させることにより、固着板３ｃ１をスライド溝３ｂ22に挿入し、固定できるものである。(図11)
【００１４】
つぎに、第2実施例のディスプレー機器用スタンドについて説明する。
支持体22は、前記と同様な支持体２を使用しているため、ここでは省略する。
スタンド23は、前記スタンド本体３a・回転支持板３b・表板３ｄを使用し、取付具23cは前記固着板と同様な取付板23c1と、円盤状の取付体23c2に係止片４aを２本突設してなる係止円盤４を固定してある。(図12)
固定板51は、上記係止円盤４を係止固定するもので、基板51ａに係止円盤４の外形より大形の第1係止孔51ｂ１を形設した中板51ｂを、係止孔51ｂ１と同形で、角度を変えてなる第２係止孔51ｃ１を形設した上板51ｃを設けてなる連結具51ｄを設ける。(図13)
これを重合させることにより、連結溝51ｄを形成してなる。(図14)
【００１５】
連結具の固定板51は、基板51ａの底板に、例えば強力両面テープＲを貼り付け、これをディスプレー機器の背面に貼り付ける。(図15)
【００１６】
スタンド23は、第1実施例のスタンド３と同様に支持体22に取り付けて使用するもので、係止円盤４の係止片４ａ・４ａをディスプレーの裏面に取付けた固定板の連結溝51ｄに挿入・回転し係止固定するものである。 (図示せず)
連結具の固定板51から係止円盤４を外す場合は上記の逆を行えばよく他は第１実施例のディスプレー機器用スタンド１と同様である。(図１６)
【００１７】
上記各実施例において、各部位の形状や材質・大きさ等は同様な機能であれば特に、限定するものではない。
また、支持角度は係止溝の長さによって異なり、今回は、４０゜と６０゜を設定しているが、これもまた、必要に応じて決めればよい。
さらに、ディスプレー機器は、例えばタブレットのようなもので、特に限定しない。
【符号の説明】
【００１８】
１――――ディスプレー機器用スタンド
２――――支持体
３――――スタンド
４――――係止円盤
５――――連結具の固定板
MG───右側
HG───左側
FA───フック孔
GA───磁石孔
G────磁石
D────ディスプレー機器
T────手
K────回転
【要約】
【課題】  従来の技術は、ディスプレー機器と別体であり、別に持ち歩いて使用しなければならず紛失することもある。また、スピーカ搭載モデル機に専用に一体に取り付けられるもので専用であるため、他のディスプレー機器に取り付けて使用することはできない。
【解決手段】  スタンド本体の後部に、支持枠に少なくとも２段階の角度に支持できる支持具を設けてなる支持体を設け、スタンド本体の前部に、ディスプレー機器に固着し回転するための固着具を設けたディスプレー機器用スタンドであって、前記支持具は、一端を連通してなる少なくとも長さの異なる係止溝を形成した係止溝板と、連通した係止溝に係止する左右に移動可能な係止板と、支持枠と連結する保持板とからなり、前記固着具は、下部に方形状に形成したスライド溝を、上部に円形状に形成した回転溝を連通して形成した回転枠を設けた回転支持板と、前記回転枠内で上下スライド及び回転可能な方形状の固着板とからなり、回転溝の外径が固着板の外寸より大きいことを特徴とする。
【選択図】  図１【図１】
0005432397.tif 000002
【図２】
0005432397.tif 000003
【図３】
0005432397.tif 000004
【図４】
0005432397.tif 000005
【図５】
0005432397.tif 000006
【図６】
0005432397.tif 000007
【図７】
0005432397.tif 000008
【図８】
0005432397.tif 000009
【図９】
0005432397.tif 000010
【図１０】
0005432397.tif 000011
【図１１】
0005432397.tif 000012
【図１２】
0005432397.tif 000013
【図１３】
0005432397.tif 000014
【図１４】
0005432397.tif 000015
【図１５】
0005432397.tif 000016
【図１６】
0005432397.tif 000017